【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
健康の安全を提供する放射された光の概日調節モードを有する発光ダイオード（ＬＥＤ）からなるＬＥＤランプであって、
少なくとも２つの、ＬＥＤチップＩ．およびＩＩＩ．の切替可能なチェーンを含むことを特徴とし、
前記Ｉ．チェーンは、５８０ｎｍ〜６１０ｎｍの波長範囲のアンバー光を発する少なくとも１つのＬＥＤチップおよび６１０ｎｍ〜７００ｎｍの波長範囲の赤色光を発する少なくとも１つのＬＥＤチップを含み、前記ＩＩＩ．チェーンは、波長４４０ｎｍ〜７００ｎｍおよび色温度ＣＣＴ３８００〜４２００Ｋを有する可視光の連続バンドスペクトルを発光する発光団でカバーされる少なくとも１つの青色ＬＥＤチップを含む、
ＬＥＤランプ。
【請求項２】
演色評価数が９０以上の数値を有することを特徴とする、請求項１に記載のＬＥＤランプ。
【請求項３】
チェーン間のスイッチを含むことを特徴とする、請求項１に記載の健康の安全を提供する放射された光の概日調節モードを有する発光ダイオード（ＬＥＤ）からなるＬＥＤランプ。
【請求項４】
前記チェーン間のスイッチがコンピュータまたはプロトコルにより制御されることを特徴とする、請求項３に記載の健康の安全を提供する放射された光の概日調節モードを有する発光ダイオード（ＬＥＤ）からなるＬＥＤランプ。
【請求項５】
前記Ｉ．チェーンが前記チェーンスイッチの第１の部分に接続されることを特徴とする、請求項２に記載のＬＥＤランプ。
【請求項６】
前記ＩＩＩ．チェーンが前記チェーンスイッチの第１の部分に接続されることを特徴とする、請求項３に記載のＬＥＤランプ。
【請求項７】
波長４４０ｎｍ〜７００ｎｍおよび色温度ＣＣＴ２５００〜２８００Ｋを有する可視光の連続バンドスペクトルを発光する発光団でカバーされる少なくとも１つの青色ＬＥＤチップを含むＩＩ．チェーンを含むことを特徴とする、請求項１に記載のＬＥＤランプ。
【請求項８】
演色評価数が８０以上の数値を有することを特徴とする、請求項７に記載のＬＥＤランプ。
【請求項９】
調光器が前記チェーンに接続されることを特徴とする、請求項３に記載のＬＥＤランプ。
【請求項１０】
前記発光される可視スペクトルが、７〜１９％の青色、２７〜３１％の緑色および５０〜６６％の赤色の相対的割合からなることを特徴とする、請求項２または４に記載のＬＥＤランプ。
【請求項１１】
前記ＩＩＩ．チェーンの発光される可視スペクトルが、２５〜３３％の青色、２２〜３５％の緑色および３８〜４５％の赤色の相対的割合からなることを特徴とする、請求項１に記載のＬＥＤランプ。
【請求項１２】
前記青色スペクトル色が４５５ｎｍで極大を有し、緑色が５５５ｎｍで極大を有し、赤色が６２８ｎｍで極大を有することを特徴とする、請求項８または９に記載のＬＥＤランプ。
【請求項１３】
前記ＬＥＤチップから発するアンバー光が５９０ｎｍにおいて極大を有する単色であり、前記ＬＥＤチップから発する赤色光が６２８ｎｍにおいて極大を有する単色であることを特徴とする、静空港１に記載のＬＥＤランプ。
【請求項１４】
前記チェーンが切替スイッチを用いて切り替えられることを特徴とする、請求項１に記載の健康の安全を提供する放射された光の概日調節モードを有する発光ダイオード（ＬＥＤ）からなるＬＥＤランプ。
【請求項１５】
回路を有し、前記ＬＥＤランプの色の照明および切替の制御および調節のための回路の入力が、前記回路の供給電圧源に接続され、これは、切り替えられるＬＥＤチェーン（３）についてのパワースイッチのブロック（２）のインプットに接続される絶縁形変成器を有する定電流源のブロック（１）の入力であり、このブロック（２）はその出力において対応する切り替えられたＬＥＤチェーン（３）に接続され、前記チャネルスイッチの制御回路のブロック（４）は、前記定電流源のブロック（１）の別の出力に接続されて、前記照明モードを変化するように前記ＬＥＤチェーン（３）を制御し、これは、前記切り替えられたＬＥＤチェーン（３）についてのパワースイッチのブロック（２）に接続される、ことを特徴とする、請求項１に記載のＬＥＤランプ。
【請求項１６】
前記照明モードの変化のために前記ＬＥＤチェーン（３）を制御する前記チャネルスイッチの前記制御回路のブロック（４）が、ラインの供給のオン／オフの切替および正しい順序のオン／オフの切替の評価を介するＬＥＤチェーン（３）間の切替のためのブロックからなることを特徴とする、請求項１５に記載のＬＥＤランプ。
【請求項１７】
前記照明モードの変化のために前記ＬＥＤチェーン（３）を制御する前記チャネルスイッチの前記制御回路のブロック（４）が、前記供給電圧源に接続されるラインの供給のオフの切替を検出するための制御ブロックからなることを特徴とする、請求項１５に記載のＬＥＤランプ。
【請求項１８】
前記照明モードの変化のために前記ＬＥＤチェーン（３）を制御する前記チャネルスイッチの前記制御回路のブロック（４）が、制御ワイヤに接続される各ＬＥＤチェーン（３）のための外部制御信号を用いる制御ブロックからなることを特徴とする、請求項１５に記載のＬＥＤランプ。
【請求項１９】
前記照明モードの変化のために前記ＬＥＤチェーン（３）を制御する前記チャネルスイッチの前記制御回路のブロック（４）が、外部のプログラム可能および／または通信モジュールに接続されるプログラム可能制御ブロックからなることを特徴とする、請求項１５に記載のＬＥＤランプ。
【請求項２０】
前記電源が電圧１２０〜２３０Ｖ≒／５０〜６０Ｈｚであることを特徴とする、請求項１５に記載のＬＥＤランプ。
【請求項２１】
前記供給電圧源は、過電流保護のための保護レジスタ（Ｒ１）および過電圧保護のためのバリスタ（Ｖ１）の接続を介して、定電流源のブロック（１）の入力に接続され、絶縁形変成器は整流回路（Ｄ１）からなり、正の電圧の出力はアースされた負極を有する第１のフィルトレーションコンデンサ（Ｃ１）に正極によって接続され、連続的な組合せはレジスタ（Ｒ２、Ｒ３）からなり、第２のフィルトレーションコンデンサ（Ｃ２）はその負極によって他端でアースされ、第３のレジスタ（Ｒ３）およびこの連続的な組合せの第２のコンデンサ（Ｃ２）の正極の共有点は電流源（Ｕ１）への電源供給の入力に接続され、ここで第６および第７のレジスタ（Ｒ６、Ｒ７）のアースされた連続的な組合せと共に絶縁形変成器巻線（Ｔ１）の第３の入力がカソード−アノード方向で第５のレジスタ（Ｒ５）および第２のダイオード（Ｄ２）を介して接続され、絶縁形変成器（Ｔ１）の第４の入力がアースされ、タイミングを提供するアースされた第４のレジスタ（Ｒ４）および第６のコンデンサ（Ｃ６）が電流源回路（Ｕ１）のタイミング入力に接続され、整流回路（Ｄ１）の出力が絶縁形変成器（Ｔ１）の第１の入力に接続され、その出力巻線がその出力（６）を介して順方向にフィルトレーション第３コンデンサ（Ｃ３）の正極および第９レジスタ（Ｒ９）に第３のダイオード（Ｄ３）を介して接続されて、ＬＥＤのセクションのための出力電圧（＋Ｖ  ＬＥＤ）を生成し、この電圧（＋Ｖ  ＬＥＤ）はチェーン（３）ＬＥＤのアノード入力に接続され、次いで、出力電圧（＋Ｖ  ＬＥＤ）はチャネルスイッチの制御回路のブロック（４）中、すなわち、フィルタ第４および第５コンデンサ（Ｃ４、Ｃ５）の並列組合せによって第８レジスタ（Ｒ８）に接続されて、必要な時定数を特定し、第４および第５のコンデンサ（Ｃ４、Ｃ５）のこの並列の組合せに定電圧ダイオード（Ｄ４）が接続されて、第２の制御回路（Ｕ２）の動作電圧を特定し、チャネルスイッチの制御回路のブロック（４）を実行してＬＥＤチェーン（３）を制御し照明モードを変化させ、ここで、制御回路（Ｕ２）からの出力はＮＭＯＳＦＥＴスイッチ要素を用いてＬＥＤチェーン（３）に接続される、すなわち、スイッチ要素（Ｑ１〜Ｑ３）の電極（Ｇ）に接続され、その端子（Ｄ）がタイプＣＣＴ  ４０００Ｋ／７ＷのＬＥＤチェーン（３）のカソード出力、タイプＣＣＴ  ２７００Ｋ／５ＷのＬＥＤチェーン（３）のカソード出力、および、限流第１０レジスタ（Ｒ１０）を介してアンバータイプ／２ＷのＬＥＤチェーン（３）のカソード出力に接続される、
または、
制御回路（Ｕ２）からの出力は双極性ＮＰＮトランジスタのスイッチ要素を用いてＬＥＤチェーン（３）に接続される、すなわち、スイッチ要素（Ｑ１〜Ｑ３）のベースに接続され、その集電体がタイプＣＣＴ  ４０００Ｋ／７ＷのＬＥＤチェーン（３）のカソード出力、タイプＣＣＴ  ２７００Ｋ／５ＷのＬＥＤチェーン（３）のカソード出力、および、限流第１０レジスタ（Ｒ１０）を介してアンバータイプ／２ＷのＬＥＤチェーン（３）のカソード出力に接続される、
ことを特徴とする、請求項１５または１６に記載のＬＥＤランプ。